(57)【要約】      （修正有）【課題】放送波から生成される情報に基づいて抽出される情報に基づいて、携帯端末が抽出された情報に対応する場所に容易にアクセスさせる。【解決手段】テレビジョン１０は、チューナ１０１によって選局された番組のＰＳＩ／ＳＩデータに基づいて、データ放送用の表示画面を表示するためのデータを抽出し、抽出されたデータから、Ｗｅｂサイトのアドレスや電話番号等の情報を抽出し、近距離無線通信により、スマートフォン３０に送信する。【選択図】図２
2015106826.tif 000002
【特許請求の範囲】
【請求項１】
選局された放送波を復調することによって第１の情報を生成する復調部と、
前記第１の情報に基づいて、外部機器がアクセスするための情報を含む第２の情報を抽出する抽出処理手段と、
前記第２の情報を近距離無線通信部に設定するためのデータを前記近距離無線通信部に送信する送信処理手段と
を具備する電子機器。
【請求項２】
前記第１の情報に基づいて生成される、Ｗｅｂサイトのアドレスを示す情報を含む画像を、第３の情報に変換する変換手段を更に具備し、
前記抽出処理手段は、前記第３の情報から前記第２の情報として前記アドレスを抽出する
請求項１に記載の電子機器。
【請求項３】
前記第１の情報に基づいて生成される、電話番号を示す情報を含む画像を、第３の情報に変換する変換手段を更に具備し、
前記抽出処理手段は、前記第３の情報から前記第２の情報として前記電話番号を抽出する
請求項１に記載の電子機器。
【請求項４】
前記抽出処理手段は、前記第１の情報に基づいて生成されるテキストデータから前記第２の情報としてＷｅｂサイトのアドレスを抽出する
請求項１に記載の電子機器。
【請求項５】
前記抽出処理手段は、前記第１の情報に基づいて生成されるテキストデータから前記第２の情報として電話番号を抽出する
請求項１に記載の電子機器。
【請求項６】
選局された放送波を復調することによって生成された第１の情報に基づいて、外部機器がアクセスするための情報を含む第２の情報を抽出し、
前記第２の情報を近距離無線通信部に設定するためのデータを前記近距離無線通信部に送信する
電子機器の制御方法。
【請求項７】
選局された放送波を復調することによって生成された第１の情報に基づいて、外部機器がアクセスするための情報を含む第２の情報を抽出する手順と、
前記第２の情報を近距離無線通信部に設定するためのデータを前記近距離無線通信部に送信する手順とを
コンピュータに実行させるプログラム。
【発明の詳細な説明】
【技術分野】
【０００１】
本発明の実施形態は、チューナを有する電子機器およびその制御方法に関する。
【背景技術】
【０００２】
テレビジョン視聴中のデータ放送内にＱＲコード（登録商標）を表示して、各局のＷｅｂサイトに誘導するサービスがある。
【先行技術文献】
【特許文献】
【０００３】
【特許文献１】登録実用新案第３１４９３２５号公報
【発明の概要】
【発明が解決しようとする課題】
【０００４】
表示されたＱＲコードを外部機器（スマートフォン、タブレットなど）のカメラを使って撮影し、アプリケーションを用いて撮影されたＱＲコードをＵＲＬ（Uniform Resource Locator）に変換する必要がある。カメラの性能、アプリケーションの性能（ノイズ除去、認識率など）によって、ＱＲコードを何度も撮影する場合がある。
【０００５】
本発明の目的は、放送波から生成される情報に基づいて抽出される情報に基づいて、外部機器が抽出された情報に対応する場所に容易にアクセスさせることが可能な電子機器および電子機器の制御方法を提供することにある。
【課題を解決するための手段】
【０００６】
実施形態によれば、電子機器は、チューナと、抽出処理手段と、送信処理手段とを具備する。チューナは、選局された放送波を復調することによって第１の情報を生成する。抽出処理手段は、前記第１の情報に基づいて、外部機器がアクセスするための情報を含む第２の情報を抽出する。送信処理手段は、前記第２の情報を近距離無線通信部に設定するためのデータを前記近距離無線通信部に送信する。
【図面の簡単な説明】
【０００７】
【図１】実施形態のシステムの構成の一例を示す図。
【図２】テレビジョン、リモートコントローラ、およびスマートフォンのそれぞれの構成を示すブロック図。
【図３】データ放送アプリケーションの構成を示すブロック図。
【図４】ＵＲＬまたは電話番号を抽出し、抽出されたＵＲＬまたは電話番号をリモートコントローラに送信する手順の一例を示すフローチャート。
【発明を実施するための形態】
【０００８】
以下、実施の形態について図面を参照して説明する。
【０００９】
図１は、実施形態に係わるシステムの構成を示す図である。
【００１０】
図１に示すように、システムは、テレビジョン（電子機器）１０、リモートコントローラ２０、スマートフォン（携帯端末）３０等を備えている。  
テレビジョン１０とリモートコントローラ２０とは、例えばブルートゥース（登録商標）により相互に通信を行うことが可能である。リモートコントローラ２０からテレビジョン１０にデータを送ることによって、テレビジョン１０を操作することが可能になる。また、近距離無線通信により、リモートコントローラ２０からスマートフォン３０にデータを送信することが可能である。テレビジョン１０からリモートコントローラ２０にデータを送ることで、スマートフォン３０のＮＦＣ受信デバイスがリモートコントローラ２０のＮＦＣ送信デバイスに近接した場合に、スマートフォン３０が、テレビジョン１０からリモートコントローラ２０に送られたデータに基づいたデータをリモートコントローラ２０から読み出すことができる。
【００１１】
図２は、テレビジョン１０、リモートコントローラ２０、およびスマートフォン３０のそれぞれの構成を示すブロック図である。
【００１２】
テレビジョン１０は、チューナ１０１、デマルチプレクサ１０２、ビデオデコーダ１０３、オーディオデコーダ１０４、ＰＳＩ／ＳＩデコーダ１０５、プロセッサ、メモリ１０７、表示処理部１０８、グラフィクスコントローラ１０９、オーディオコントローラ１１０、ＬＣＤ（Liquid Crystal Display）１１１、スピーカ１１２、およびＴＶブルートゥース（登録商標）デバイス（ＢＴデバイス）１１３等を備えている。
【００１３】
チューナ１０１は、アンテナから入力された信号から選択された放送波を選局し、選局された放送波を復調して映像データ、音声データ、データ放送用データを含むＴＳ（Transport Stream）パケットを出力する。
【００１４】
デマルチプレクサ１０２は、チューナ１０１から出力されたＴＳパケット（第１の情報）から、ビデオデータ、オーディオデータ、およびＰＳＩ／ＳＩ（Program Specific Information/Service Information）データをそれぞれ分離する。デマルチプレクサ１０２は、分離したビデオデータをビデオデコーダ１０３に出力し、分離したオーディオデータをオーディオデコーダ１０４に出力し、分離したＰＳＩ／ＳＩデータをＰＳＩ／ＳＩデコーダ１０５に出力する。
【００１５】
ビデオデコーダ１０３は、ビデオデータをデコードする。オーディオデコーダ１０４は、オーディオデータをデコードする。デコードされたオーディオデータは、オーディオコントローラ１１０により、スピーカ１１２に出力される。
【００１６】
ＰＳＩ／ＳＩデコーダ１０５は、ＰＳＩ／ＳＩデータをデコードする。デコードされたデータをプロセッサ１０６に出力する。プロセッサ１０６は、メモリ１０７にロードされたデータ放送アプリケーション（データ放送ＡＰＰ）１２０を実行する。
【００１７】
データ放送アプリケーション１２０は、ＰＳＩ／ＳＩデータに含まれるデータに基づいて、データ放送用の表示画面を表示するためのデータを生成する機能を有する。データ放送アプリケーション１２０は、ＰＳＩ／ＳＩデータに含まれるデータ放送を表示するためのデータから、ＷｅｂサイトのＵＲＬ（アドレス）や電話番号等の第２の情報を抽出し、抽出された第２の情報をリモートコントローラ２０に設けられたＮＦＣデバイスに設定するためのデータをＴＶブルートゥースデバイス１１３を用いて、リモートコントローラ２０に送信する機能を有する。
【００１８】
表示処理部１０８は、デコードされたビデオデータ、およびデータ放送用の表示画面の表示画面を表示するためのデータから、ＬＣＤ１１１に画像を表示するためのデータを生成するための処理を行う。グラフィクスコントローラ１０９は、生成されたデータに基づいて、ＬＣＤ１１１に画像を表示するための映像信号を生成し、生成された映像信号をＬＣＤ１１１に出力する。
【００１９】
ＴＶブルートゥースデバイス１１３は、データ放送アプリケーション１２０からの指示に応じて、リモートコントローラ２０にデータを送信したり、リモートコントローラ２０から送信されたデータを受信したりする。
【００２０】
リモートコントローラ２０は、操作ボタン群２０１、ＲＣブルートゥースデバイス（ＢＴデバイス）２０２、ＮＦＣ送信デバイス２０３、およびコントローラ２０４等を備えている。操作ボタン群２０１は、テレビジョン１０を操作するための複数のボタンを有する。操作ボタン内のボタンが操作された場合、コントローラ２０４は、ＲＣブルートゥースデバイス２０２により、操作されたボタンに対応するデータをテレビジョン１０に送信する。また、ＲＣブルートゥースデバイス２０２は、テレビジョン１０から送信されたデータを受信する。ＲＣブルートゥースデバイス２０２がＮＦＣ送信デバイス２０３に設定するためのデータを受信した場合、コントローラ２０４は、設定データに基づいたデータをＮＦＣ送信デバイス２０３に設定する。
【００２１】
スマートフォン３０は、ＮＦＣ受信デバイス３０１、モデム３０２、およびコントローラ３０３等を備えている。  
ＮＦＣ受信デバイス３０１は、ＮＦＣ送信デバイス２０３と近接無線通信を行う。モデム３０２は、無線通信によるパケット送受信や音声データの送受信を行う。コントローラ３０３は、スマートフォン３０の動作を制御する。
【００２２】
リモートコントローラ２０のＮＦＣ送信デバイス２０３にスマートフォン３０のＮＦＣ受信デバイス３０１が近接した場合、ＮＦＣ送信デバイス２０３は設定されたデータをＮＦＣ受信デバイス３０１に送信する。
【００２３】
図３は、データ放送アプリケーション１２０の構成を示すブロック図である。  
データ放送アプリケーション１２０は、データ放送画面生成部４０１、ＱＲコード検出部４０２、ＱＲコード変換処理部４０３、抽出処理部４０４、および送信処理部４０５等を備えている。
【００２４】
データ放送画面生成部４０１は、デコードされたＰＳＩ／ＳＩデータに含まれるデータに基づいて、データ放送用の表示画面を表示するためのデータを生成する。
【００２５】
ＱＲコード検出部４０２は、デコードされたＰＳＩ／ＳＩデータに含まれる画像データから、ＱＲコード（登録商標）を含む画像の検出を試みる。ＱＲコードを含む画像を検出した場合、ＱＲコード検出部４０２は、ＱＲコードを含む画像をＱＲコード変換処理部４０３に送信する。ＱＲコード変換処理部４０３は、ＱＲコードを文字列（第３の情報）に変換する。ＱＲコード変換処理部４０３は、文字列を抽出処理部４０４に渡す。
【００２６】
抽出処理部４０４は、データに含まれるテキストデータ、またはＱＲコード変換処理部４０３から渡されたデータから、“http”から始まり、“co.jp”、“.com”等のドメインで終わる文字列（ＵＲＬ）を抽出する。また、抽出処理部４０４は、デコードされたＰＳＩ／ＳＩデータに含まれるテキストデータから、またはＱＲコード変換処理部４０３から渡されたデータから、電話番号に相当する桁数の数字列を抽出する。抽出処理部４０４は、抽出された文字列または数字列を、送信処理部４０５に渡す。
【００２７】
送信処理部４０５は、抽出された文字列または数字列をＮＦＣ送信デバイスに設定することを依頼するためのデータを、ＴＶブルートゥースデバイス１１３を用いてリモートコントローラ２０に送信する
図４は、ＵＲＬまたは電話番号を抽出し、抽出されたＵＲＬまたは電話番号をリモートコントローラ２０に送信する手順の一例を示すフローチャートである。  
先ず、ＱＲコード検出部４０２は、ＰＳＩ／ＳＩデコーダによってデコードされたＰＳＩ／ＳＩデータに含まれる画像データから、ＱＲコードを含む画像の検出を試みる（ステップＢ１１）。ＱＲコードを含む画像を検出した場合、ＱＲコード検出部４０２は、ＱＲコードを含む画像をＱＲコード変換処理部４０３に渡す。ＱＲコードを含む画像を検出しなかった場合、ＱＲコード検出部４０２は、ＱＲコードを含む画像を検出できなかったことをＱＲコード変換処理部４０３に通知する。ＱＲコード変換処理部４０３はＱＲコードが検出されたかを判定する（ステップＢ１２）。ＱＲコードが検出された場合（ステップＢ１２のＹｅｓ）、ＱＲコード変換処理部４０３は、ＱＲコードを文字列に変換する（ステップＢ１３）。ＱＲコード変換処理部４０３は、文字列を抽出処理部４０４に渡す。ＱＲコードが検出されなかった場合（ステップＢ１２のＮｏ）、ＱＲコードに対応する文字列が無いことを抽出処理部４０４に通知する。
【００２８】
抽出処理部４０４は、ＱＲコード変換処理部４０３から渡された文字列、および／またはＰＳＩ／ＳＩデコーダによってデコードされたＰＳＩ／ＳＩデータに含まれるテキストデータから、ＷｅｂサイトのＵＲＬまたは電話番号を抽出することを試みる（ステップＢ１４）。ＵＲＬまたは電話番号を抽出した場合、抽出処理部４０４は、抽出されたＵＲＬまたは電話番号を送信処理部に渡す。ＵＲＬまたは電話番号を抽出しなかった場合、抽出処理部４０４は、ＵＲＬまたは電話番号が抽出されなかったことを送信処理部に通知する。
【００２９】
送信処理部４０５は、ＵＲＬまたは電話番号が抽出されかを判定する（ステップＢ１５）。ＵＲＬまたは電話番号が抽出された場合（ステップＢ１５のＹｅｓ）、送信処理部４０５は、抽出されたＵＲＬまたは電話番号をＮＦＣ送信デバイスに設定することを依頼するためのデータを、ＴＶブルートゥースデバイス１１３を用いてリモートコントローラ２０に送信する（ステップＢ１６）。
【００３０】
リモートコントローラ２０は、リモートコントローラ２０から送信されたデータをブルートゥースデバイスによって受信する。ブルートゥースデバイスは、受信したデータをＮＦＣデバイスに渡す。ＮＦＣデバイスは、スマートフォン３０がリモートコントローラ２０にタッチされたら、データをスマートフォン３０に送信する。データを受信したスマートフォンは、モデム３０２により、受信したデータに対応するサイトにアクセスしたり、または電話番号に発信したりすることが可能になる。
【００３１】
なお、ＮＦＣ送信デバイスにデータを送信するための放送情報記述子が定義された場合、データ放送アプリケーション１２０は、放送情報記述子に付加されているデータをＮＦＣ送信デバイスに設定するためのデータを送信しても良い。
【００３２】
また、新たに定義された放送情報記述子に放送中で紹介されている店や観光地等の位置を示す位置情報を付加し、位置情報をＮＦＣ送信デバイス２０３に設定し、スマートフォン３０がＮＦＣ送信デバイス２０３から送信された位置情報を受信することで、スマートフォン３０が放送中で紹介されている店や観光地等の位置に基づいて地図サイトにアクセスして地図を表示するようにしても良い。
【００３３】
新たに定義された放送情報記述子にユーザにポイントを与えるためのデータを付加し、付加されたデータをＮＦＣ送信デバイス２０３に設定し、特定のアプリケーションが起動されている状態のスマートフォン３０がＮＦＣ送信デバイス２０３から送信されたデータを受信することで、特定のアプリケーションがデータに基づいて与えられるポイントを蓄積するようにしても良い。
【００３４】
なお、ＮＦＣ送信デバイス２０３は、テレビジョン１０に設けられていても良い。なお、テレビジョン１０に付随するリモートコントローラ２０側にＮＦＣ送信デバイス２０３を搭載すると、視聴中に手元で操作することができる。
【００３５】
また、視聴中のデータ放送画面で操作ボタン群２０１内の十字キーで操作でオブジェクトを選択した時に、そのオブジェクト内にＵＲＬや電話番号などが埋め込まれていた場合、ＮＦＣ送信デバイス２０３に反映するようにしても良い。
【００３６】
また、テレビジョン１０で録画した番組をＤＬＮＡ（Digital Living Network Alliance）経由で、スマートフォン３０によって視聴する場合、テレビジョン１０のネットワークパスをＮＦＣ送信デバイス２０３に設定し、スマートフォン３０がＮＦＣ送信デバイス２０３から送信されたネットワークパスを受信することで、スマートフォン３０がテレビジョン１０のネットワークパスを取得でき、録画データを容易に閲覧することが可能になる。
【００３７】
また、マニュアルが格納されているＵＲＬをＮＦＣ送信デバイス２０３に設定し、スマートフォン３０がＮＦＣ送信デバイス２０３から送信されたＵＲＬを受信することで、スマートフォン３０がオンライマニュアルを閲覧できる。
【００３８】
テレビジョン１０の機器設定をネットワーク経由でする際、機器設定を行うためのページのアクセスパスをＮＦＣ送信デバイス２０３に設定し、スマートフォン３０がＮＦＣ送信デバイス２０３から送信されたネットワークパスを受信することで、スマートフォン３０が機器設定を行うためのページにアクセスすることが可能になる。
【００３９】
また、ＰＳＩ／ＳＩデコーダによってデコードされたデータに含まれるテキストデータから住所を抽出し、住所をＮＦＣ送信デバイス２０３に設定し、スマートフォン３０がＮＦＣ送信デバイス２０３から送信された住所を受信することで、スマートフォン３０が住所に基づいて地図サイトにアクセスして地図を表示するようにしても良い。
【００４０】
以上説明したように、本実施形態によれば、受信した放送波を復調することによってＴＳパケットを生成し、ＴＳパケットに含まれるＰＳＩ／ＳＩデータに含まれるデータ放送を表示するためのデータから、ＷｅｂサイトのＵＲＬ（アドレス）や電話番号等の、スマートフォン３０等の外部機器がアクセスするための情報を含む第２の情報を抽出し、抽出された第２の情報をリモートコントローラ２０に設けられたＮＦＣ送信デバイス２０３に設定するためのデータをＴＶブルートゥースデバイス１１３を用いて、リモートコントローラ２０に送信することで、ユーザがスマートフォン３０のＮＦＣ受信デバイス３０１をＮＦＣ送信デバイス２０３に近接することで、ＮＦＣ受信デバイス３０１がＮＦＣ送信デバイス２０３から第２の情報を受信することができ、スマートフォン３０が第２の情報に対応する場所に容易にアクセスすることが可能になる。
【００４１】
また、本実施形態の各種処理はコンピュータプログラムによって実現することができるので、このコンピュータプログラムを格納したコンピュータ読み取り可能な記憶媒体を通じてこのコンピュータプログラムを通常のコンピュータにインストールして実行するだけで、本実施形態と同様の効果を容易に実現することができる。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１０…テレビジョン（電子機器）、２０…リモートコントローラ、３０…スマートフォン、１０１…チューナ、１０６…プロセッサ、１０７…メモリ、１１３…ＴＶブルートゥースデバイス、１２０…データ放送アプリケーション、２０１…操作ボタン群、２０２…ＲＣブルートゥースデバイス、２０３…ＮＦＣ送信デバイス、２０４…コントローラ、３０１…ＮＦＣ受信デバイス、３０２…モデム、３０３…コントローラ、４０１…データ放送画面生成部、４０２…ＱＲコード検出部、４０３…ＱＲコード変換処理部、４０４…抽出処理部、４０５…送信処理部
【図１】
2015106826.tif 000003
【図２】
2015106826.tif 000004
【図３】
2015106826.tif 000005
【図４】
2015106826.tif 000006